(57)【特許請求の範囲】
【請求項１】
同一線上に並ぶ非伸縮性の左本体ベルト、右本体ベルト、左内締付ベルト、左外締付ベルト、右内締付ベルト及び右外締付ベルトから構成され、
左本体ベルトは、右端部に右折り返しリングを、右本体ベルトは、左端部に左折り返しリングをそれぞれ設け、左本体ベルトの左端部と右本体ベルトの右端部とを連結解除自在にし、
左内締付ベルトは、前記左本体ベルトの右端部に右端部を接続し、前記左折り返しリングに通して左方向に折り返し、前記右折り返しリングを通した先の左端部に左連結リングを設け、
右内締付ベルトは、前記右本体ベルトの左端部に左端部を接続し、前記右折り返しリングに通して右方向に折り返し、右端部に右連結リングを設け、
左外締付ベルトは、左本体ベルトの外面に右端部を固定して右方向に延ばし、前記左連結リングに通して左方向に折り返して、左端部を左本体ベルトに着脱自在に接続し、
右外締付ベルトは、右本体ベルトの外面に左端部を固定して左方向に延ばし、前記右連結リングに通して右方向に折り返して、右端部を右本体ベルトに着脱自在に接続した腰ベルト。
【発明の詳細な説明】
【技術分野】
【０００１】
本発明は、利用者の腰を締め付ける腰ベルトに関する。
【背景技術】
【０００２】
腰ベルトは、利用者の腰を締め付けることにより、利用者が腰痛になることを抑制又は防止したり、利用者の腰痛による痛みを緩和したりする。腰ベルトは、様々な構成が提案されている。特許文献１が開示する腰ベルトは、非伸縮性の左本体ベルト、右本体ベルト、左内締付ベルト、左外締付ベルト、右内締付ベルト及び右外締付ベルトから構成される。左本体ベルト及び右本体ベルトは、利用者の腰に巻き付け、左本体ベルトの左端部と右本体ベルトの右端部とを連結して前記利用者の腰に装着する。そして、左本体ベルト及び右本体ベルトは、左本体ベルトを引っ張る右内締付ベルトを更に右外締付ベルトで引っ張り、右本体ベルトを引っ張る左内締付ベルトを更に左外締付ベルトで引っ張ることにより、利用者の腰に強く締め付けられる。【０００３】
特許文献１が開示する腰ベルトは、次の構成である。左本体ベルトは、右端部の下半分に右折り返しリングを、右本体ベルトは、左端部の下半分に左折り返しリングをそれぞれ設け、左本体ベルトの左端部と右本体ベルトの右端部とを連結解除自在にし、左内締付ベルトは、前記左本体ベルトの右端部の下半分に右端部を接続し、前記左折り返しリングに通して左方向に折り返し、左端部に左連結リングを設け、右内締付ベルトは、前記右本体ベルトの左端部の上半分に左端部を接続し、前記右折り返しリングに通して右方向に折り返し、右端部に右連結リングを設け、左外締付ベルトは、左本体ベルトの外面に右端部を固定して右方向に延ばし、前記左連結リングに通して折り返して、左端部を左本体ベルトに着脱自在に接続し、右外締付ベルトは、右本体ベルトの外面に左端部を固定して左方向に延ばし、前記右連結リングに通して折り返して、右端部を右本体ベルトに着脱自在に接続している。
【先行技術文献】
【特許文献】
【０００４】
【特許文献１】意匠登録第1490536号公報
【発明の概要】
【発明が解決しようとする課題】
【０００５】
特許文献１が開示する腰ベルトは、左内締付ベルトと右内締付ベルトとの干渉を回避するため、対向する左本体ベルトの右端部と右本体ベルトの左端部とを、前記左内締付ベルトの右端部と右内締付ベルトの左端部とを足し合わせた幅（高さ）にしている。これにより、例えば左本体ベルトは、右端部の下半分に右折り返しリングを設け、前記右端部の上半分に左内締付ベルトの右端部を接続できる（右本体ベルトも同様）。しかし、これでは、利用者の腰の左右中心に当たる左本体ベルトの右端部や右本体ベルトの左端部の幅が広くなり、どうしても狭い範囲で腰を締め付けることができなかった。【０００６】
左本体ベルトを引っ張る右内締付ベルトを更に右外締付ベルトで引っ張り、右本体ベルトを引っ張る左内締付ベルトを更に左外締付ベルトで引っ張る二重締付構成の腰ベルトは、利用者の腰をきつく締め付けることができる。しかし、例えば左内締付ベルト及び左外締付ベルトは、左本体ベルトを利用者の腰に巻き付ける方向に対して締め付け方向が斜めで、前記左内締付ベルト及び左外締付ベルトの締付力を左本体ベルトの締付に全部利用できなかった。これは、右内締付ベルト及び右外締付ベルトも同様である。【０００７】
更に、左内締付ベルト及び左外締付ベルトや右内締付ベルト及び右外締付ベルトの締付方向は、それぞれが左本体ベルト及び右本体ベルトを利用者の腰に巻き付ける方向に対して斜めで、互いに逆方向に引っ張るため、前記左本体ベルト及び右本体ベルトを捩る力が発生する問題もあった。そこで、左内締付ベルト及び左外締付ベルトや右内締付ベルト及び右外締付ベルトを備えた二重締付構成の腰ベルトにおいて、極力幅の狭い構成にすると共に、左本体ベルト及び右本体ベルトを利用者の腰に巻き付ける方向に対して斜めに引っ張る力が発生しない構造について検討した。
【課題を解決するための手段】
【０００８】
検討の結果開発したものが、同一線上に並ぶ非伸縮性の左本体ベルト、右本体ベルト、左内締付ベルト、左外締付ベルト、右内締付ベルト及び右外締付ベルトから構成され、左本体ベルトは、右端部に右折り返しリングを、右本体ベルトは、左端部に左折り返しリングをそれぞれ設け、左本体ベルトの左端部と右本体ベルトの右端部とを連結解除自在にし、左内締付ベルトは、前記左本体ベルトの右端部に右端部を接続し、前記左折り返しリングに通して左方向に折り返し、前記右折り返しリングを通した先の左端部に左連結リングを設け、右内締付ベルトは、前記右本体ベルトの左端部に左端部を接続し、前記右折り返しリングに通して右方向に折り返し、右端部に右連結リングを設け、左外締付ベルトは、左本体ベルトの外面に右端部を固定して右方向に延ばし、前記左連結リングに通して左方向に折り返して、左端部を左本体ベルトに着脱自在に接続し、右外締付ベルトは、右本体ベルトの外面に左端部を固定して左方向に延ばし、前記右連結リングに通して右方向に折り返して、右端部を右本体ベルトに着脱自在に接続した腰ベルトである。【０００９】
左本体ベルトの左端部と右本体ベルトの右端部との連結解除手段は、従来公知の各種連結解除手段が利用できる。好ましくは、左本体ベルトの左端部と右本体ベルトの右端部とに、面ファスナーの雄面及び雌面を割り当てて連結解除手段を構成する。同様に、左本体ベルトに対する左外締付ベルトの着脱手段や、右本体ベルトに対する右外締付ベルトの着脱手段も、従来公知の各種着脱手段が利用できる。好ましくは、左本体ベルト又は右本体ベルトの外面と左外締付ベルトの左端部の内面又は右外締付ベルトの右端部の内面とに、面ファスナーの雄面及び雌面を割り当てて着脱手段を構成する。【００１０】
本発明の腰ベルトは、左本体ベルト、右本体ベルト、左内締付ベルト、左外締付ベルト、右内締付ベルト及び右外締付ベルトを同一線上に並べる。左内締付ベルト及び右内締付ベルトの干渉は、左折り返しリングに通して左方向に折り返した左内締付ベルトを右折り返しリングに通して回避する。左内締付ベルト及び右内締付ベルトの干渉は、左内締付ベルト又は右内締付ベルトのいずれか一方が相手方の右折り返しリング又は左折り返しリングに通せば回避できる。これから、本発明の腰ベルトは、左折り返しリングに通して左方向に折り返した左内締付ベルトを右折り返しリングに通す代わりに、右折り返しリングに通して右方向に折り返した右内締付ベルトを左折り返しリングに通す構成も含む。【００１１】
本発明の「左」「右」「上」「下」は、腰ベルトを装着した利用者の「左」「右」「上」「下」で、腰ベルトを背面側から見た展開図の「左」「右」「上」「下」と、構成における「左」「右」「上」「下」とを一致させている。同様に、利用者に接する側を「内」、外から見える側を「外」としている。「左半分」「右半分」「上半分」及び「下半分」は、左本体ベルト、右本体ベルト、左締付ベルト、左内締付ベルト、左外締付ベルト、右締付ベルト、右内締付ベルト、右外締付ベルト、左副締付ベルト又は右副締付ベルトの左右方向又は上下方向に半割した部分を指し、「左半分」は左右に半割した左部分、「右半分」は左右に半割した右部分、「上半分」は上下に半割した上部分、そして「下半分」は上下に半割した下部分を意味する。【００１２】
本発明の「左折り返しリング」「右折り返しリング」「左連結リング」「右連結リング」は、例えば小判カンやコキカンのように、樹脂製又は金属製の環状部材である。左折り返しリング」「右折り返しリング」「左連結リング」「右連結リング」は、完全に閉じていることが好ましい。しかし、左折り返しリング」「右折り返しリング」「左連結リング」「右連結リング」は、それぞれに通して掛け回す左内締付ベルト、左外締付ベルト、右内締付ベルト又は右外締付ベルトが抜け出さない程度の隙間があってもよい。
【発明の効果】
【００１３】
本発明の腰ベルトは、左内締付ベルト及び左外締付ベルトや右内締付ベルト及び右外締付ベルトを備えた二重締付構成でありながら、従来より幅が狭く、狭い範囲で利用者の腰を締め付けることができる。これは、左内締付ベルト及び右内締付ベルトの干渉を回避するため、例えば左折り返しリングに通して左方向に折り返した左内締付ベルトを右折り返しリングに通したことで、左本体ベルト、右本体ベルト、左内締付ベルト、左外締付ベルト、右内締付ベルト及び右外締付ベルトが同一線上に並べたことによる効果である。【００１４】
左本体ベルト、右本体ベルト、左内締付ベルト、左外締付ベルト、右内締付ベルト及び右外締付ベルトが同一線上に並ぶことにより、左内締付ベルト、左外締付ベルト、右内締付ベルト及び右外締付ベルトの締付方向と、左本体ベルト及び右本体ベルトを利用者の腰に巻き付ける方向とを一致させ、左本体ベルト及び右本体ベルトを捩ることなく、左内締付ベルト、左外締付ベルト、右内締付ベルト及び右外締付ベルトの締付力を無駄なく利用できる効果も得られる。
【図面の簡単な説明】
【００１５】
【図１】本発明を適用した腰ベルトの一例を表す正面図である。
【図２】本例の腰ベルトの背面図である。
【図３】本例の腰ベルトの底面図である。
【図４】図３中Ａ部拡大底面図である。
【図５】本例の腰ベルトの装着状態を正面から見た斜視図である。
【図６】本例の腰ベルトの装着状態を背面から見た斜視図である。
【発明を実施するための形態】
【００１６】
以下、本発明を実施するための形態について図を参照しながら説明する。本発明の腰ベルト１は、例えば図１〜図４に見られるように、同一線上に並ぶ非伸縮性の左本体ベルト11、右本体ベルト12、左内締付ベルト13、左外締付ベルト14、右内締付ベルト15及び右外締付ベルト16から構成される。本例の腰ベルト１は、左本体ベルト11、右本体ベルト12、左内締付ベルト13、左外締付ベルト14、右内締付ベルト15及び右外締付ベルト16が同一幅（高さ）で、従来同種の二重締付構成の腰ベルト（特許文献１参照）に比べて、狭い幅で利用者２の腰21（後掲図６参照）を締め付けることができる。
【００１７】
本例の左本体ベルト11は、腰ベルト１の左半分を占める長尺な非伸縮性ベルトで、右端部の短辺に縫い付けたリング取付フラップ112を介して、右折り返しリング111を前記右端部に設けている。本例の右折り返しリング111は、略方形外形の樹脂製又は金属製の環状リングである小判カンで、対となる長辺の一方をリング取付けフラップ112のループ部分に通して連結している。本例の左本体ベルト11は、右本体ベルト12の連結用面ファスナー雄面124や、左外締付ベルト14の着脱用面ファスナー雄面141と対になる着脱用面ファスナー雌面113を、左端部から中央部に掛けた範囲で外面側に設けている。
【００１８】
本例の右本体ベルト12は、腰ベルト１の右半分を占める非伸縮性ベルトで、左端部の短辺に縫い付けたリング取付フラップ122を介して、左折り返しリング121を前記左端部に設けている。本例の左折り返しリング121は、略方形外形の樹脂製又は金属製の環状リングである小判カンで、対となる長辺の一方をリング取付けフラップ122のループ部分に通して連結している。本例の右本体ベルト12は、右外締付ベルト16の着脱用面ファスナー雄面161と対になる着脱用面ファスナー雌面123を、右端部から中央部に掛けた範囲で外面側に設けえいる。本例の右本体ベルト12は、左本体ベルト11の外面に設けた着脱用面ファスナー雌面113と対になる連結用面ファスナー雄面124を、左端部の内側に縫着したフラップの内面側に設けている。
【００１９】
本例の左内締付ベルト13は、リング取付フラップ112と左本体ベルト11の右端部とに挟まれて右端部が左本体ベルト11の右端部に縫い付けられる。本例の左内締付ベルト13は、左端部をまず右方向に延ばし、右本体ベルト12の左折り返しリング121の残る長辺に内側（図３中下側）から掛け回して左方向へ折り返す。そして、本例の左内締付ベルト13は、左本体ベルト11の右折り返しリング111を通した先に突出する左端部に左連結リング131を設ける。左連結リング131は、略方形外形で、対となる長辺と平行に前記長辺に挟まれた中間辺を有する樹脂製又は金属製環状リングであるコキカンで、左内締付ベルト13の左端部に設けたループ状のリング取付端部132に前記長辺の一方を通して連結している。
【００２０】
本例の左外締付ベルト14は、左本体ベルト11の外面に右端部を縫着して固定し、まず左端部を右方向に延ばして、左内締付ベルト13の左端部に設けた左連結リング131に通してから左方向に折り返し、自身の左端部に設けた着脱用面ファスナー雄面141により、左本体ベルト11の外面に設けた着脱用面ファスナー雌面113に対して着脱自在に接続する。本例の左連結リング131はコキカンなので、左外締付ベルト14の左端部は、内側（図３中下側）からまず中間辺の右側を通して外側に突出させ、折り返して前記中間辺の左側から内側に突出させ、残る長辺に内側から宛てがって左方向に引き出している。これにより、コキカンである左連結リング131に掛け回した左外締付ベルト14は、弛み止めが図られる。
【００２１】
本例の右内締付ベルト15は、右本体ベルト12の左端部に縫着されるリング取付フラップ122の上に左端部が縫い付けられる。本例の右内締付ベルト15は、右端部をまず左方向に延ばし、左本体ベルト11の右折り返しリング111の残る長辺に内側（図３中下側）から掛け回して右方向へ折り返す。このとき、前記右折り返しリング111に通す左内締付ベルト13は、右折り返しリング111に掛け回す右内締付ベルト15より内側に位置する。そして、本例の右内締付ベルト15は、右方に突出する右端部に右連結リング151を設ける。右連結リング151は、略方形外形で、対となる長辺と平行に前記長辺に挟まれた中間辺を有する樹脂製又は金属製環状リングであるコキカンで、右内締付ベルト15の右端部に設けたループ状のリング取付端部152に前記長辺の一方を通して連結している。
【００２２】
本例の右外締付ベルト16は、右本体ベルト12の外面に左端部を縫着して固定し、まず右端部を左方向に延ばして、右内締付ベルト15の右端部に設けた右連結リング151に通してから右方向に折り返し、自身の右端部に設けた着脱用面ファスナー雄面161により、右本体ベルト12の外面に設けた着脱用面ファスナー雌面113に対して着脱自在に接続する。本例の右連結リング151はコキカンなので、右外締付ベルト16の右端部は、内側（図３中下側）からまず中間辺の左側を通して外側に突出させ、折り返して前記中間辺の右側から内側に突出させ、残る長辺に内側から宛てがって右方向に引き出している。これにより、コキカンである右連結リング151に掛け回した右外締付ベルト16は、弛み止めが図られる。
【００２３】
本例の腰ベルト１は、次の手順で利用者２の腰21に装着する。左本体ベルト11及び右本体ベルト12は、右本体ベルト124の連結用面ファスナー雄面124を左本体ベルト11の外面に設けた着脱用面ファスナー雌面113から剥がし、連結を解除する。左外締付ベルト14は、左本体ベルト11の外面に設けた着脱用面ファスナー雌面113から自身の着脱用面ファスナー雄面141を剥がし、左内締付ベルト13及び左外締付ベルト14を自由にする。同様に、右外締付ベルト16は、右本体ベルト12の外面に設けた着脱用面ファスナー雌面123から自身の着脱用面ファスナー雄面161を剥がし、右内締付ベルト15及び右外締付ベルト16を自由にする。こうして、準備が完了する。
【００２４】
準備を完了した状態にある腰ベルト１は、左本体ベルト11及び右本体ベルト12の内側を利用者２の腰21に宛てがい、左本体ベルト11の左端部と右本体ベルト12の右端部とを腹に掛け回す。そして、腰ベルト１は、左本体ベルト11を内側、右本体ベルト12を外側として重ね、左本体ベルト11の外面に設けた面ファスナー雌面113に右本体ベルト12の右端部に設けた連結用面ファスナー124を掛合して、左本体ベルト11及び右本体ベルト12を連結する。これにより、腰ベルト１は、利用者２の腰21に緩く巻き付けられた状態となる。
【００２５】
利用者２の腰21に緩く巻き付けられた状態の腰ベルト１は、左外締付ベルト14及び右外締付ベルト16をそれぞれ締め付ける。左締付ベルト14は、左端部を持って左回りに引っ張り、左本体ベルト11の外面に設けた着脱用面ファスナー雌面113に、左端部に設けた着脱用面ファスナー雄面141に掛合して、固着する。同様に、右締付ベルト16は、右端部を持って利用者２を上から見て右回りに引っ張り、右本体ベルト12の外面に設けた着脱用面ファスナー雌面123に、右端部に設けた着脱用面ファスナー雄面161に掛合して、固着する。こうして、図５及び図６に見られるように、利用者２の腰21に腰ベルト１が装着される。
【００２６】
例えば左外締付ベルト14は、左連結リング131を介して左内締付ベルト13の左端部を引っ張り、左内締付ベルト13は、左折り返しリング121を介して右本体ベルト12を引っ張る。右本体ベルト12の左端部を引っ張る力は、左内締付ベルト13の左端部及び右端部に分力され、左内締付ベルト13の左端部を引っ張る力は、左外締付ベルト14の左端部及び右端部に分力される。これから、左外締付ベルト14の左端部を引っ張る利用者２は、右本体ベルト12の左端部を引っ張る力の１/４で済む。同様に、右外締付ベルト16の右端部を引っ張る利用者２は、左本体ベルト11の右端部を引っ張る力の１/４で済む。
【００２７】
利用者２は、左外締付ベルト14及び右外締付ベルト16を弱い力で引っ張りながら、左本体ベルト11及び右本体ベルト12を利用者２の腰21にきつく締め付けることができる。既述したように、左本体ベルト11、右本体ベルト12、左内締付ベルト13、左外締付ベルト14、右内締付ベルト15及び右外締付ベルト16は、同一線上に並んでいるので、左内締付ベルト13、左外締付ベルト14、右内締付ベルト15及び右外締付ベルト16の締付によって、左本体ベルト11及び右本体ベルト12が捩られない。更に、左本体ベルト11及び右本体ベルト12を利用者２の腰21に巻き付ける方向と、前記左内締付ベルト13、左外締付ベルト14、右内締付ベルト15及び右外締付ベルト16による締付方向が一致するので、左本体ベルト11及び右本体ベルト12の巻き付け方向を見て、締付方向を調整しやすい。
【符号の説明】
【００２８】
１  腰ベルト
11  左本体ベルト
111  右折り返しリング
112  リング取付フラップ
113  着脱用面ファスナー雌面
12  右本体ベルト
121  左折り返しリング
122  リング取付フラップ
123  着脱用面ファスナー雌面
124  連結用面ファスナー雄面
13  左内締付ベルト
131  左連結リング
132  リング取付端部
14  左外締付ベルト
141  着脱用面ファスナー雄面
15  右内締付ベルト
151  右連結リング
152  リング取付端部
16  右外締付ベルト
161  着脱用面ファスナー雄面
２  利用者
21  腰
【図１】
0006625199.tif 000002
【図２】
0006625199.tif 000003
【図３】
0006625199.tif 000004
【図４】
0006625199.tif 000005
【図５】
0006625199.tif 000006
【図６】
0006625199.tif 000007